(57)【要約】【課題】分割された各画面において映像の品質を維持すること【解決手段】アクティブマトリクス基板１１は、１枚の基板上に格子状に配置された複数の画素１０２と、画素１０２に設けられたスイッチング素子１０４と、格子の一方向に沿って設けられた画素１０２のスイッチング素子１０４に接続された走査信号線１０６Ａ（１）〜（ｍ）、１０６Ｂ（１）〜（ｍ）とを備えている。このアクティブマトリクス基板１１の走査信号線１０６Ａ（１）〜（ｍ）、１０６Ｂ（１）〜（ｍ）は基板の中間部分Ｃを境にして分かれている。【選択図】図５
2010224154.tif 000002
【特許請求の範囲】
【請求項１】
１枚の基板上に格子状に配置された複数の画素と、
前記画素に設けられたスイッチング素子と、
前記格子の一方向に沿って設けられた画素のスイッチング素子に接続された走査信号線と、
を備え、
前記走査信号線は前記基板の中間部分を境にして分かれている、アクティブマトリクス基板。
【請求項２】
前記格子の他の一方向に沿って設けられた画素のスイッチング素子に接続されたデータ信号線を備えた、請求項１に記載されたアクティブマトリクス基板。
【請求項３】
請求項１又は２に記載されたアクティブマトリクス基板と、
前記アクティブマトリクス基板に対して、前記基板の中間部分を境にして、それぞれ異なるタイミングで制御信号を送るタイミングコントローラと、
を備えた、映像表示装置。
【請求項４】
請求項１に記載されたアクティブマトリクス基板と、
前記アクティブマトリクス基板に対向して配置された対向基板と、
前記アクティブマトリクス基板と対向基板との間に挟まれた液晶層と、
前記アクティブマトリクス基板に対向して、前記対向基板に形成された対向電極と、
を備えた、液晶パネル。
【請求項５】
アクティブマトリクス基板は、
前記画素に設けられた補助容量電極と、
前記格子の一方向に沿って設けられた前記補助容量電極に接続された補助容量配線と、
を備え、
前記補助容量配線は前記アクティブマトリクス基板の中間部分を境にして分かれている、請求項４に記載の液晶パネル。
【請求項６】
請求項４又は５に記載された液晶パネルと、前記液晶パネルに対して前記アクティブマトリクス基板の中間部分を境にして、それぞれ異なるタイミングで制御信号を送るタイミングコントローラとを備えた、映像表示装置。
【発明の詳細な説明】
【技術分野】
【０００１】
本発明は、アクティブマトリクス基板及びアクティブマトリクス基板を備えた映像表示装置に関する。特に、一つの基板で構成される一の画面を複数の画面に分割して、各画面にそれぞれ異なる映像を表示することができる映像表示装置に関する。
【背景技術】
【０００２】
映像表示装置には、一の画面を複数の画面に分割して、各画面にそれぞれ異なる映像を表示する機能を備えた映像表示装置がある。このような映像表示装置では、例えば、テレビ放送の異なるチャンネルの映像を、同時に表示させることができる。かかる映像表示装置は、例えば、特開平６−１８１５５６号公報（特許文献１）に開示されている。同公報には、チャンネル毎に割り当てられた位置に順次間引き画像データを書き込む技術が開示されている。
【先行技術文献】
【特許文献】
【０００３】
【特許文献１】特開平６−１８１５５６号公報
【発明の概要】
【発明が解決しようとする課題】
【０００４】
映像情報は、静止画の情報が時系列に並べられている。映像表示装置は、静止画（フレーム）を更新しつつ映像を表示する。アクティブマトリクス型の映像表示装置は、画素が格子状に並び、各画素にスイッチング素子を備えている。かかるアクティブマトリクス型の映像表示装置では、格子の一方向に沿って走査信号線が配線されている。そして、かかる走査信号線に入力された信号に基づいて、スイッチング素子がＯＮされ、当該スイッチング素子を通じて画素に映像情報が書き込まれる。すなわち、格子の一方向に沿って並べられた画素毎に映像情報が書き込まれて行く。そして、全ての画素の映像情報が書き換えられることによって、映像のフレーム（静止画）が進んで行く。映像を表示する場合には単位時間毎にフレームが更新される。映像情報において、単位時間あたり何度フレームが更新されるかを表す指標は、フレーム周波数とよばれる。
【０００５】
テレビ放送では、受信チャンネルが異なる映像は、各映像のフレーム周波数が微妙に異なっている。例えば、受信チャンネルが異なる映像では、フレーム周波数が同じ６０Hzに設定されていても、厳密には、６０．００・・・１Hzであったり、６０．００・・・２Hzであったりする。一の画面を分割した複数の画面に、フレーム周波数が異なる映像を同時に映す場合には、あるタイミングでいずれかの映像のフレームを間引く処理や、一方の映像のフレームを二度書きしつつ、他方の映像のフレームを書き換える処理が必要になる。しかしながら、分割された各画面において映像の品質を維持するためには、フレームの間引きや二度書きは行われないことが望ましい。
【課題を解決するための手段】
【０００６】
本発明に係るアクティブマトリクス基板は、１枚の基板上に格子状に配置された複数の画素と、画素に設けられたスイッチング素子と、格子の一方向に沿って設けられた画素のスイッチング素子に接続された走査信号線とを備えている。このアクティブマトリクス基板の走査信号線は基板の中間部分を境にして分かれている。
【０００７】
かかるアクティブマトリクス基板によれば、走査信号線が基板の中間部分を境にして分かれている。このため、基板の中間部分を境にしてそれぞれ異なるフレーム周波数で走査することができる。従って、例えば、基板の中間部分を境にして一の画面を分割した複数の画面に、フレーム周波数が異なる映像を同時に映す場合に、フレーム周波数が異なる映像をそれぞれのフレーム周波数に従って処理することができる。
【図面の簡単な説明】
【０００８】
【図１】（ａ）〜（ｃ）はフレームを間引く手法を示す工程図である。
【図２】（ａ）〜（ｃ）はフレームを二度書きする手法を示す工程図である。
【図３】アクティブマトリクス型の液晶表示装置の構成を示す図である。
【図４】液晶表示装置のアクティブマトリクス基板の画素の構成を示す図である。
【図５】本発明の一実施形態に係るアクティブマトリクス型の液晶表示装置の構成を示す図である。
【図６】（ａ）〜（ｃ）は本発明の一実施形態に係るアクティブマトリクス型の液晶表示装置の映像処理工程を示す工程図である。
【図７】液晶表示装置の構成例を示す分解斜視図である。
【図８】液晶表示装置の構成例を示す断面図である。
【図９】有機ＥＬディスプレイ用のアクティブマトリクス基板の画素構成を示す図である。
【発明を実施するための形態】
【０００９】
以下、まず一般的なアクティブマトリクス型の映像表示装置について、上述したフレームを間引く手法や二度書きを行う手法を説明する。ここでは、中間部分Cを境にして一の画面を左右に分割した２つの画面に映像を表示する場合を例に挙げて説明する。図１（ａ）〜（ｃ）は、フレームを間引く手法を示す工程図である。図２（ａ）〜（ｃ）は、二度書きを行う手法を示す工程図である。
【００１０】
一般的なアクティブマトリクス型の映像表示装置では、図１（ａ）に示すように、スイッチング素子を通じて、格子の一方向に並べられた画素毎に映像情報が書き込まれて行く。図１（ａ）〜（ｃ）において、左側に映される映像をＡ、右側に映される映像をＢとし、それぞれ映像のフレームを時系列にＡ１，Ａ２，Ａ３・・・・、Ｂ１，Ｂ２，Ｂ３・・・・と数字を添えて示している。また、図１（ａ）〜（ｃ）は、それぞれ映像情報が書き換えられるところを示しており、図中の直線Ｌは、スイッチング素子を通じて画素に映像情報が書き込まれている走査ラインを示している。走査ラインＬは、フレーム周期内に上から下に移動する。走査ラインＬが一画面内を上から下に移動することによって、当該一画面内の映像が書き換わる。図１（ａ）〜（ｃ）は、それぞれ左右の映像Ａ，Ｂの映像情報が書き換えられるところを時系列に順に示している。
【００１１】
図１（ａ）では、画面の左側において映像Ａが「Ａ１」のフレームから「Ａ２」のフレームの映像情報に書き換えられるところを示している。また、同図では、画面の右側において映像Ｂが「Ｂ１」のフレームから「Ｂ２」のフレームの映像情報に書き換えられるところを示している。
【００１２】
図１（ｂ）では、画面の左側において映像Ａが「Ａ２」のフレームから「Ａ３」のフレームの映像情報に書き換えられている。また、画面の右側において映像Ｂが「Ｂ２」のフレームから「Ｂ４」のフレームの映像情報に書き換えられている。さらに、図１（ｃ）では、画面の左側において映像Ａが「Ａ３」のフレームから「Ａ４」のフレームの映像情報に書き換えられている。また、画面の右側において映像Ｂが「Ｂ４」のフレームから「Ｂ５」のフレームの映像情報に書き換えられている。
【００１３】
すなわち、この例では、映像Ａよりも映像Ｂのフレーム周波数が速い。このため、映像Ａでは、順番にフレームが書き換えられたのに対して、映像Ｂでは、あるタイミングでフレームが間引かれている。すなわち、図１（ａ）〜（ｃ）では、図１（ｂ）のタイミングで、右側の映像Ｂにおいて「Ｂ３」のフレームが間引かれて「Ｂ２」のフレームから「Ｂ４」の情報に映像が変えられているのである。
【００１４】
また、他の手法として、映像のフレームを間引くことに変えて、一方の画像は変更せずに他方の画像を書き換えるように処理してもよい。図２（ａ）〜（ｃ）は、一方の画像は変更せずに他方の画像を書き換えるように処理する例を示している。
【００１５】
すなわち、図２（ａ）では、画面の左側において映像Ａが「Ａ１」のフレームから「Ａ２」のフレームの映像情報に書き換えられるところを示している。また、同図では、画面の右側において映像Ｂが「Ｂ１」のフレームから「Ｂ２」のフレームの映像情報に書き換えられるところを示している。
【００１６】
図２（ｂ）では、画面の左側において映像Ａが「Ａ２」のフレームから「Ａ３」のフレームの映像情報に書き換えられている。また、画面の右側において映像Ｂが「Ｂ２」のフレームが上書きされている（二度書き）。さらに、図２（ｃ）では、画面の左側において映像Ａが「Ａ３」のフレームから「Ａ４」のフレームの映像情報に書き換えられている。また、画面の右側において映像Ｂが「Ｂ２」のフレームから「Ｂ３」のフレームの映像情報に書き換えられている。
【００１７】
すなわち、この例では、映像Ａよりも映像Ｂのフレーム周波数が遅い。このため、映像Ａでは、図２（ａ）〜（ｃ）において順番にフレームが書き換えられているのに対して、映像Ｂでは、図２（ｂ）のタイミングで、右側の映像Ｂにおいて「Ｂ２」のフレームが二度書きされているのである。
【００１８】
ここで、かかるアクティブマトリクス型の映像表示装置として、一般的なアクティブマトリクス型の液晶表示装置の構成を説明する。図３は、一般的なアクティブマトリクス型の映像表示装置（ここでは、液晶表示装置）の構成を模式的に示している。図４は、液晶表示装置の各画素に構成される回路図を示している。アクティブマトリクス型の液晶表示装置１００は、図３に示すように、液晶パネル１０と、液晶パネル１０を制御する制御部２００とを備えている。
【００１９】
液晶パネル１０は、対向する一対の基板（アレイ基板１１とカラーフィルタ基板１２）に液晶層１３が挟まれた構造を備えている。かかる液晶パネル１０には、画素１０２が格子状に並んでいる。各画素１０２にはスイッチング素子１０４が設けられている。スイッチング素子１０４は、アクティブマトリクス基板としてのアレイ基板１１に設けられている。また、アレイ基板１１には、かかるスイッチング素子１０４に接続される格子状（マトリクス状）に信号線が配線されている。
【００２０】
すなわち、アレイ基板１１には、図３に示すように、複数の走査信号線１０６（１）〜（ｍ）と複数のデータ信号線１０８（１）〜（ｎ）とが格子状（マトリクス状）に配線されている。（）内の添え字は、走査信号線１０６、データ信号線１０８を区別するために付与している。走査信号線１０６、データ信号線１０８については、適宜に（）内に添え字を付して説明する。走査信号線１０６（１）〜（ｍ）とデータ信号線１０８（１）〜（ｎ）とは、それぞれ各画素１０２のスイッチング素子１０４に接続されている。（）内の添え字の意味は、後述する補助容量配線１１８についても同様である。
【００２１】
図３及び図４に示す例では、スイッチング素子１０４は、薄膜トランジスタ（ＴＦＴ：thin film transistor）で構成されている。格子状に配線された走査信号線１０６とデータ信号線１０８は、図４に示すように、それぞれ各画素１０２のスイッチング素子１０４に接続されている。すなわち、走査信号線１０６は、スイッチング素子１０４のゲート電極１０４ａに接続されている。データ信号線１０８は、スイッチング素子１０４のソース電極１０４ｂに接続されている。スイッチング素子１０４のドレイン電極１０４ｃには、画素電極１１２が接続されている。
【００２２】
各画素１０２には、液晶層１３を挟んで画素電極１１２と対向電極１１４が対向している。画素電極１１２と対向電極１１４は、液晶層１３を操作するコンデンサＣｌｃを構成している。また、画素電極１１２の一部１１２ａは補助容量電極１１６と対向している。補助容量電極１１６は、補助容量配線１１８に接続されている。画素電極１１２の一部１１２ａと補助容量電極１１６とは、画素１０２に印加された電圧を維持する補助容量Ｃｃｓを構成している。
【００２３】
走査信号線１０６（１）〜（ｍ）は、ゲートドライバ１４１に接続されている。データ信号線１０８（１）〜（ｎ）は、ソースドライバ１４２に接続されている。また、ゲートドライバ１４１、ソースドライバ１４２は、それぞれ制御部２００に接続されている。制御部２００は、ＩＣ、ＬＳＩ、ＣＰＵ、不揮発性メモリーなどを組み合わせて構成されている。制御部２００は、予め設定されたプログラムに沿って種々の電子的な処理を行い、所要の機能を奏する。液晶パネル１０の駆動は、制御部２００によって制御される。この制御部２００は、信号入力部２０１と、タイミングコントローラ２０２と、電源２０３とを備えている。
【００２４】
信号入力部２０１は、外部システム(図示せず)から複数の制御信号が入力される。外部システムから入力される制御信号には、液晶パネル１０に表示させる映像に関する信号が含まれる。この実施形態では、信号入力部２０１に入力された制御信号を基に、タイミングコントローラ２０２を通じてゲートドライバ１４１、ソースドライバ１４２に制御信号が送られる。タイミングコントローラ２０２は、外部システム(図示せず)から入力された複数の制御信号に基づいて、ゲートドライバ１４１とソースドライバ１４２を駆動させるための制御信号を生成する。電源２０３は、液晶表示装置１００の各構成部に動作電源を供給するとともに液晶パネル１０の共通電極電圧（Vcom）を生成して対向電極１１４（図４参照）に供給する。
【００２５】
この液晶表示装置１００では、走査信号線１０６（１）〜（ｍ）は、図３に示すように、所定の間隔をあけて並列に配線されている。すなわち、走査信号線１０６（１）〜（ｍ）は、それぞれ格子の一方向に向けて配設されている。さらに、液晶パネル１０に格子状に設けられた各画素１０２に、走査信号線１０６が接続されるように、走査信号線１０６（１）〜（ｍ）は格子の他の一方向に所定の間隔をあけて並列に配線されている。補助容量配線１１８（１）〜（ｍ）についても同様に、図３に示すように、格子の一方向に沿って配線されている。さらに、液晶パネル１０に格子状に設けられた各画素１０２の補助容量電極１１６が補助容量配線１１８に接続されるように、補助容量配線１１８（１）〜（ｍ）は格子の他の一方向に所定の間隔をあけて並列に配線されている。
【００２６】
この液晶表示装置１００では、図３に示すように、走査信号線１０６（１）〜（ｍ）に順番に走査信号が送られる。走査信号線１０６に入力される走査信号に伴って、当該走査信号線１０６に接続された画素１０２のスイッチング素子１０４がＯＮになる。すなわち、液晶パネル１０は、格子の一方向に並べられた一列の画素１０２毎にスイッチング素子１０４がＯＮになる。そして、スイッチング素子１０４がＯＮになるタイミングで、当該画素１０２に入力されるデータ信号（映像信号）がデータ信号線１０８（１）〜（ｎ）に送られる。これによって、格子の一方向に並べられた画素１０２毎に映像情報が書き込まれて行く。また、補助容量配線１１８にもタイミングを合わせて制御信号が送られる。これにより補助容量Ｃｃｓの作用によって画素１０２に印加された電圧は、スイッチング素子１０４がＯＦＦになった後も維持される。
【００２７】
このようにアクティブマトリクス型の液晶表示装置１００では、同じ走査信号線１０６上に接続された画素１０２は、同じタイミングで映像情報が書き込まれる。走査信号線１０６（１）〜（ｍ）は、それぞれ液晶パネル１０の格子の一方向に配線されている。一の画面を分割して複数の画面にフレーム周波数が異なる映像を表示する場合には、異なる映像のフレーム周波数の相違を調整する必要がある。このため、図１（ａ）〜（ｃ）、図２（ａ）〜（ｃ）に示すように、あるタイミングでフレームを間引いたり、二度書きを行ったりする処理が必要になる。
【００２８】
本発明者は、かかるアクティブマトリクス型の映像表示装置の問題点を鑑みて本発明を創案した。以下、本発明の一実施形態に係る映像表示装置を図面に基づいて説明する。なお、実質的に同じ作用を奏する部材、部位には同じ符号を付して説明する。また、各図は、図示の便宜上模式的に描かれている。このため、例えば、寸法関係（長さ、幅、厚さ等）は必ずしも実際の寸法関係を正確に反映するものではない。
【００２９】
本発明の一実施形態に係るアクティブマトリクス基板の走査信号線は、基板の中間部分を境にして分かれている。かかるアクティブマトリクス基板を映像表示装置に用いることによって、画面を分割してフレーム周波数が異なる映像を映す際に、映像の品質を維持することが容易になる。
【００３０】
すなわち、例えば、図５に示す映像表示装置１００Ａを例に挙げると、アクティブマトリクス基板はアレイ基板１１に相当する。かかるアレイ基板１１は、１枚の基板上に複数の画素１０２が格子状に配置されている。画素１０２にはスイッチング素子１０４が設けられている。本発明の一実施形態に係る映像表示装置１００Ａでは、走査信号線１０６Ａ（１）〜（ｍ）と１０６Ｂ（１）〜（ｍ）とが基板の中間部分Ｃを境にして分かれている。そして、各スイッチング素子１０４は、基板の中間部分を境にして、それぞれ走査信号線１０６Ａ（１）〜（ｍ）又は１０６Ｂ（１）〜（ｍ）に接続されている。
【００３１】
このため、基板１１の中間部分Ｃを境にして、それぞれフレーム周波数が異なる映像を写すことができる。この際、基板１１の中間部分Ｃを境にして、走査信号線１０６Ａ（１）〜（ｍ）と１０６Ｂ（１）〜（ｍ）にそれぞれ制御信号を走査できる。このため、フレームを間引く処理や、二度書きを行う処理が不要であり、映像の品質を維持することができる。
【００３２】
また、この実施形態では、アレイ基板１１は、格子の他の一方向に沿って設けられた画素１０２のスイッチング素子１０４に接続されたデータ信号線１０８（１）〜（ｎ）を備えている。この実施形態では、図５に示す映像表示装置１００Ａでは、基板１１の中間部分Ｃを境にして左側のデータ信号線１０８（１）〜（ｉ）は、当該左側の画素１０２のスイッチング素子１０４に接続されている。また、当該左側の画素１０２のスイッチング素子１０４は、当該左側に配線された走査信号線１０６Ａ（１）〜（ｍ）に接続されている。また、基板１１の中間部分Ｃを境にして右側のデータ信号線１０８（ｉ＋１）〜（ｎ）は、当該右側の画素１０２のスイッチング素子１０４に接続されている。また、当該右側の画素１０２のスイッチング素子１０４は、当該右側に配線された走査信号線１０６Ｂ（１）〜（ｍ）に接続されている。
【００３３】
この実施形態では、映像表示装置１００Ａは、図５に示すように、液晶パネル１０Ａを備えている。アクティブマトリクス基板としてのアレイ基板１１には、カラーフィルタ基板１２（対向基板）が対向して配置されている。アレイ基板１１とカラーフィルタ基板１２との間には、液晶層１３が挟まれている。カラーフィルタ基板１２には対向電極１１４（図４参照）が形成されている。この実施形態では、アレイ基板１１は、補助容量電極１１６（図４参照）と、補助容量配線１１８Ａ（１）〜（ｍ）、１１８Ｂ（１）〜（ｍ）を備えている。補助容量電極１１６は、図４に示すように、各画素１０２に設けられている。
【００３４】
この実施形態では、図５に示すように、補助容量配線１１８Ａ（１）〜（ｍ）、１１８Ｂ（１）〜（ｍ）が基板の中間部分Ｃを境にして分かれている。また、基板１１の中間部分Ｃを境にして左側の画素１０２の補助容量電極１１６は、当該左側に配線された補助容量配線１１８Ａ（１）〜（ｍ）に接続されている。中間部分Ｃを境にして右側の画素１０２の補助容量電極１１６は、当該右側に配線された補助容量配線１１８Ｂ（１）〜（ｍ）に接続されている。
【００３５】
また、この実施形態では、映像表示装置１００Ａのタイミングコントローラ２０２Ａは、アレイ基板１１に対して、基板の中間部分Ｃを境にして、それぞれ異なるタイミングで制御信号を送る機能を備えていると良い。すなわち、信号入力部２０１には、外部システム(図示せず)から複数の制御信号が入力される。この際、例えば、テレビ放送では、受信チャンネルが異なる映像は、各映像のフレーム周波数が微妙に異なっている。この映像表示装置１００Ａは、基板の中間部分Ｃを境にして、一の画面を分割した複数の画面に、フレーム周波数が異なる映像を同時に映すことができる。タイミングコントローラ２０２Ａは、フレーム周波数が異なる映像をそれぞれのフレーム周波数に従って処理する。そして、基板の中間部分Ｃを境にして、左右の画面にそれぞれ異なる映像を表示させる。
【００３６】
すなわち、この液晶パネル１０Ａは、走査信号線１０６Ａ（１）〜（ｍ）、１０６Ｂ（１）〜（ｍ）が、基板の中間部分Ｃを境にして左右に分かれている。さらに、補助容量配線１１８Ａ（１）〜（ｍ）、１１８Ｂ（１）〜（ｍ）がアクティブマトリクス基板の中間部分Ｃを境にして分かれている。このため、基板の中間部分Ｃを境にして、一の画面を分割した複数の画面に、フレーム周波数が異なる映像を同時に映すことができる。この際、基板の中間部分Ｃを境にして左右の画面では、別々のタイミングで走査信号を送ることができる。フレーム周波数が異なる映像を同時に映すのに、フレームを間引く処理や二度書きを行う処理が不要である。この場合、映像表示装置１００Ａは、かかる液晶パネル１０Ａに対して、アレイ基板１１の中間部分Ｃを境にして、それぞれ異なるタイミングで制御信号を送るタイミングコントローラ２０２Ａを備えているとよい。
【００３７】
図６（ａ）〜（ｃ）は、かかる映像表示装置１００Ａで、中間部分Ｃを境にして左右に分割した２つの画面に、フレーム周波数が異なる映像を同時に映す処理を示している。
【００３８】
この映像表示装置１００Ａでは、図６（ａ）〜（ｃ）において、中間部分Ｃを境にして左側に映される映像をＡ、右側に映される映像をＢとし、それぞれ映像のフレームを時系列にＡ１，Ａ２，Ａ３・・・・、Ｂ１，Ｂ２，Ｂ３・・・・と数字を添えて示している。また、図６（ａ）〜（ｃ）は、それぞれ映像情報が書き換えられるところを示している。図中の直線Ｌは、走査ラインを示している。走査ラインＬは、フレーム周期内に上から下に移動する。走査ラインＬが一画面内を上から下に移動することによって、当該一画面内の映像が書き換わる。
【００３９】
図６（ａ）では、画面の左側において映像Ａが「Ａ１」のフレームから「Ａ２」のフレームの映像情報に書き換えられるところを示している。また、同図では、画面の右側において映像Ｂが「Ｂ１」のフレームから「Ｂ２」のフレームの映像情報に書き換えられるところを示している。
【００４０】
図６（ｂ）では、画面の左側において映像Ａが「Ａ２」のフレームから「Ａ３」のフレームの映像情報に書き換えられている。また、画面の右側において映像Ｂが「Ｂ２」のフレームから「Ｂ３」のフレームの映像情報に書き換えられている。さらに、図６（ｃ）では、画面の左側において映像Ａが「Ａ３」のフレームから「Ａ４」のフレームの映像情報に書き換えられている。また、画面の右側において映像Ｂが「Ｂ３」のフレームから「Ｂ４」のフレームの映像情報に書き換えられている。
【００４１】
このように、この映像表示装置１００Ａは、中間部分Ｃを境にして左右の画面でそれぞれ異なるタイミングで画面を走査できる。このため、映像Ａと映像Ｂのフレーム周波数の違いに関わらず、中間部分Ｃを境にして左右の画面でそれぞれ適切に映像を表示することができる。すなわち、フレーム周波数が異なる映像を同時に映すのに、フレームを間引く処理や二度書きを行う処理が不要である。このように、この映像表示装置１００Ａによれば、中間部分Ｃを境にして画面を分けて、それぞれ適切に映像を表示することができる。
【００４２】
以上、本発明の一実施形態に係る映像表示装置１００Ａを説明した。上述した実施形態では、映像表示装置１００Ａは、液晶表示装置を構成している。ここで、図７は映像表示装置１００Ａの分解斜視図であり、図８は映像表示装置１００Ａの断面図である。映像表示装置１００Ａは、図７に示されるように、液晶パネル１０と、バックライト装置４０とを備えている。バックライト装置４０は、液晶パネル１０の背面側に対向しており、液晶パネル１０の背面に光を照射する装置である。液晶パネル１０とバックライト装置４０とは、図８に示すように、ベゼル（枠体）２０によって組み付けられることで一体的に保持されている。液晶パネル１０には、周縁部を除く中央部分に表示領域１を有している。
【００４３】
表示領域１には、画像を表示させるための画素（図示せず）が格子状（マトリクス状）に設けられている。液晶パネル１０の各画素は、ＲＧＢの３色のサブ画素から一つの画素が構成されている。なお、各サブ画素はさらに複数に分割された副画素が形成されている場合もある。この液晶パネル１０は、上述したように互いに対向するアレイ基板１１と、カラーフィルタ基板１２とを有している。かかる一対の基板１１，１２の間には液晶層１３が挟まれている。液晶層１３は、液晶分子を含む液晶材料によって構成されており、一対の基板１１，１２の周縁部に装着されたシール材１７によって封止されている。
【００４４】
この実施形態では、アレイ基板１１には、図５に示すように、走査信号線１０６（ゲート配線）とデータ信号線１０８（ソース配線）と補助容量配線１１８が所定のパターンをなすように形成されている。この実施形態では、走査信号線１０６（ゲート配線）と補助容量配線１１８は、基板１１の中間部分Ｃを境にして分かれている。また、データ信号線１０８と走査信号線１０６とで区画される各格子領域に、画素電極１１２及びスイッチング素子１０４としての薄膜トランジスタ（ＴＦＴ：thin film transistor）が形成されている。これにより、各画素１０２が形成されている。画素電極１１２は、例えば、透明な導電材料であるＩＴＯ（Ｉｎｄｉｕｍ  Ｔｉｎ  Ｏｘｉｄｅ：インジウム酸化スズ）で構成されている。なお、配線の形成や薄膜トランジスタの形成などアレイ基板１１（アクティブマトリクス基板）の製造技術は、スパッタリングやフォトレジストなどの種々の公知の技術を援用できるので、ここでは説明を省略する。
【００４５】
上記液晶パネル１０の背面側に配置されるバックライト装置４０は、図７及び図８に示されるように、複数本の線状の光源４２と、光源４２を収納するケース（シャーシ）４４とから構成されている。ケース４４と光源４２との間には、光源４２の光を反射する反射部材４６が配置されている。また、上記ケース４４の開口部には、複数のシート状の光学部材４８が積層されて該開口部を覆うように配置されている。光学部材４８の構成としては、例えば、バックライト装置４０側から液晶パネル１０側に向かって順に、拡散板、拡散シート、レンズシート、及び輝度上昇シートから構成されている。光学部材４８の種類、組合せ及び順序は上記に限定されない。さらに、図示例では、光学部材４８をケース４４に挟んで保持するために、ケース４４には、略枠状のフレーム３０が設けられている。なお、図示は省略するが、ケース４４の裏側には、インバータ回路基板や、各光源４２に電力を供給する昇圧回路としてのインバータトランスなどが設けられる。
【００４６】
上述のように、バックライト装置４０の前面側には光学部材４８が配置されている。フレーム３０は、上記光学部材４８をバックライト装置４０との間で狭持している。さらに、フレーム３０の前面には液晶パネル１０が載置され、さらに当該液晶パネル１０の前面に、ベゼル２０が装着されている。この実施形態では、上記ベゼル２０とフレーム３０との間には、緩衝材５０（図８参照）が挟まれている。また、この実施形態では、液晶パネル１０の両側には、図８に示すように、偏光板１８、１９が配置されている。なお、図７及び図８に示す実施形態では、液晶パネル１０の周縁部には、フレキシブル基板１４及び接続基板１６が設けられている。そして、これらの基板に駆動回路が構成されている。
【００４７】
以上のように、上述した実施形態では、映像表示装置として液晶表示装置を例に挙げて説明した。本発明に係る映像表示装置は、上記の液晶表示装置には限定されない。液晶表示装置には、液晶パネルの背面にバックライトを設けて液晶パネルの前面に映像を表示する装置の他、液晶パネルに光を透過させてスクリーンに映像を表示する液晶プロジェクタもある。また、アクティブマトリクス型の映像表示装置としては、液晶表示装置の他、有機ＥＬディスプレイ（有機EL：Organic Electro-Luminescence; OEL）などがある。有機ＥＬディスプレイに適用する場合、アクティブマトリクス基板は、アクティブマトリクス型の有機ＥＬディスプレイ用に構成される。
【００４８】
アクティブマトリクス型の有機ＥＬディスプレイ用のアクティブマトリクス基板は、基板上に複数の画素が格子状に配置されている。図９は、かかるアクティブマトリクス基板４００に形成される画素４０２の一例を示している。図９に示すように、各画素４０２には、スイッチング素子４０４が設けられている。また、格子の一方向に沿って走査信号線４０６が配線されている。また、格子の他の一方向に沿ってデータ信号線４０８が配線されている。画素４０２のスイッチング素子４０４は、薄膜トランジスタ（ＴＦＴ：thin film transistor）で形成されている。スイッチング素子４０４のゲート電極４０４ａは、走査信号線４０６が接続されている。スイッチング素子４０４のソース電極４０４ｂには、データ信号線４０８が接続されている。スイッチング素子４０４のドレイン電極４０４ｃには、駆動用トランジスタ４１０のゲート電極４１０ａと、コンデンサ４１２の一方の電極４１２ａに接続されている。コンデンサ４１２の他方の電極４１２ｂは、電源ライン４１４と、駆動用トランジスタ４１０のソース電極４１０ｂとに接続されている。駆動用トランジスタ４１０のドレイン電極４１０ｂには、有機ＥＬ素子４２０が接続されている。各画素１０２は、走査信号線４０６、データ信号線４０８及び電源ライン４１４から送られる制御信号によって、スイッチング素子４０４、駆動用トランジスタ４１０及びコンデンサ４１２が操作され、有機ＥＬ素子４２０の点灯が制御される。
【００４９】
かかる有機ＥＬディスプレイ用のアクティブマトリクス基板４００においても、走査信号線４０６は、基板の中間部分を境にして分かれているとよい。この場合、図６（ａ）〜（ｃ）に示すように、かかるアクティブマトリクス基板４００に対して、基板の中間部分Ｃを境にして、それぞれ異なるタイミングで制御信号を送るタイミングコントローラを備えているとよい。この場合、基板４００の中間部分Ｃを境にしてそれぞれ異なるフレーム周波数で走査することができる。従って、有機ＥＬディスプレイにおいて、例えば、基板４００の中間部分Ｃを境にして一の画面を分割した複数の画面に、フレーム周波数が異なる映像を同時に映す場合に、フレーム周波数が異なる映像をそれぞれのフレーム周波数に従って処理することができる。
【００５０】
このように、本発明に係るアクティブマトリクス基板は、液晶パネルに限らず、種々のアクティブマトリクス型の映像表示装置に適用できる。
【００５１】
以上、本発明に係るアクティブマトリクス基板及びかかるアクティブマトリクス基板を備えた映像表示装置を説明したが、本発明は、上記の実施形態に限定されない。
【００５２】
例えば、基板の中間部分Ｃは、基板の幅方向の真ん中に設定される必要はない。例えば、左右に偏った位置に設けられていても良い。また、上記のように映像表示装置は、基板の中間部分Ｃで分けられる画面において、異なるフレーム周波数で走査することができる。また、映像表示装置は、基板の中間部分Ｃで分けられる画面において走査するタイミングを合わせることもできる。
【符号の説明】
【００５３】
１０、１０Ａ  液晶パネル
１１  アレイ基板（アクティブマトリクス基板）
１２  カラーフィルタ基板
１３  液晶層
１７  シール材
２０  ベゼル
３０  フレーム
４０  バックライト装置
４２  光源
４４  ケース
４６  反射部材
４８  光学部材
５０  緩衝材
１００、１００Ａ  映像表示装置
１０２  画素
１０４  スイッチング素子
１０４ａ  ゲート電極
１０４ｂ  ソース電極
１０４ｃ  ドレイン電極
１０６、１０６Ａ、１０６Ｂ  走査信号線
１０８  データ信号線
１１２  画素電極
１１２ａ  画素電極の一部
１１４  対向電極
１１６  補助容量電極
１１８、１１８Ａ、１１８Ｂ  補助容量配線
１４１  ゲートドライバ
１４２  ソースドライバ
２００  制御部
２０１  信号入力部
２０２、２０２Ａ  タイミングコントローラ
２０３  電源
４００  アクティブマトリクス基板
４０２  画素
４０４  スイッチング素子
４０４ａ  ゲート電極
４０４ｂ  ソース電極
４０４ｃ  ドレイン電極
４０６  走査信号線
４０８  データ信号線
４１０  駆動用トランジスタ
４１０ａ  ゲート電極
４１０ｂ  ソース電極
４１０ｂ  ドレイン電極
４１２  コンデンサ
４１２ａ  コンデンサの電極
４１２ｂ  コンデンサの電極
４１４  電源ライン
４２０  素子
Ｃ  中間部分
Ｃｃｓ  補助容量
Ｃｌｃ  コンデンサ
Ｌ  走査ライン
【図１】
2010224154.tif 000003
【図２】
2010224154.tif 000004
【図３】
2010224154.tif 000005
【図４】
2010224154.tif 000006
【図５】
2010224154.tif 000007
【図６】
2010224154.tif 000008
【図７】
2010224154.tif 000009
【図８】
2010224154.tif 000010
【図９】
2010224154.tif 000011